(57)【特許請求の範囲】
【請求項１】
入浴リフト１３と、入浴用車椅子３とからなる入浴装置７９において、
入浴用車椅子３は、台車１と、台車１から分離可能に載設される座部２と、座部２を台車１に対し移動不可能に掛止する掛止機構１７とからなり、
掛止機構１７は、座部２に設けられ操作具を介して手動で移動可能な掛止具１８と、掛止具１８の位置に対応して台車１に設けられる掛止受部１９と、掛止具１８と掛止受部１９の両者による掛止作用を解除する方向への掛止具１８の移動操作を阻止する阻止具２０とで構成され、
入浴用車椅子３が入浴リフト１３に接合している時は、阻止具２０を入浴リフト１３との接合に連動して動かすことで掛止作用を解除する方向への掛止具１８の移動操作を可能にする一方、入浴用車椅子３が入浴リフト１３に接合していない時は、阻止具２０によって掛止作用を解除する方向への掛止具１８の移動操作を阻止することを特徴とする入浴装置。
【請求項２】
台車１は、台車枠１２の前部に突出状に設けられる接合鉤具１５と、車椅子側検出器３８とを有し、
入浴リフト１３には、受穴１４と、接合鉤具１５に当って動くリフト側検出器６３の受動片６０とが設けられ、
台車１を入浴リフト１３に接合させる時に、接合鉤具１５を受穴１４に貫通させると、接合鉤具１５の貫通した部位がリフト側検出器６３に当ってこれを動かし、リフト側検出器６３が車椅子側検出器３８を介して阻止具２０を動かすことで、掛止作用を解除する方向へ掛止具１８を移動操作できるようにしたことを特徴とする請求項１記載の入浴装置。
【請求項３】
掛止具１８は下方向に付勢され昇降可能であって、掛止受部１９に嵌入できるものであり、掛止具１８の途中部分に凹部６７が形成され、阻止具２０は前記凹部６７に進入するように付勢され水平移動可能であって、
入浴用車椅子３が入浴リフト１３に接合していない時は、阻止具２０は、掛止具１８の凹部６７に進入し、掛止受部１９に嵌っている掛止具１８の移動を阻止し、掛止機構１７は、台車１に対する座部２の前後方向及び上方向への移動を阻止し、座部２が台車１から脱落しないようにすることを特徴とする請求項１または２記載の入浴装置。
【請求項４】
台車１は、車輪１１と台車枠１２とからなり、台車枠１２の前部の左右には、半円形に前方へ突出する保護枠１６が設けられ、保護枠１６は、外側面が丸味を帯びた形状であり、接合鉤具１５の上前方及び上左右方にわたって位置しており、
保護枠１６は、接合鉤具１５の損壊を防ぐものであると共に、車輪１１の上方に位置しており、又、入浴リフト１３の後部の左右には、案内具２１が設けられ、台車１を入浴リフト１３へ接合する時、保護枠１６は入浴リフト１３の案内具２１に沿って摺動するものであることを特徴とする請求項１乃至３のいずれか一項に記載の入浴装置。
【請求項５】
入浴リフト１３には、その上面にあって前後方向にレール４１が設けられ、レール４１の左右外側に上カバー６１が設けられ、座部２は、座面部７と、座面部７の後部に設けられる背凭８とからなり、背凭８の左右に肘掛９が設けられ、該肘掛９は、入浴用車椅子３の前方向きから斜め後方向きへ回動させて掛止できるものであり、
又、座部２は、台車１からレール４１へ移乗でき、移乗した座部２は、入浴リフト１３の後部から前部の入浴位置へ移動できるものであり、前記座部２は、肘掛９を斜め後方向きに掛止したままでは、肘掛９が上カバー６１にぶつかって入浴位置へ移動できず、入浴を遂行出来ないようにしたことを特徴とする請求項１乃至４のいずれか一項に記載の入浴装置。
【発明の詳細な説明】
【技術分野】
【０００１】
本発明は、介護を必要とする入浴者（＝以下入浴者という）が入浴する時に使用される入浴装置に関する。
【背景技術】
【０００２】
従来の技術に示される入浴用車椅子は、台車と、ロック機構が設けられる椅子部とからなり、台車が入浴用受け台につき合わされると、ロック機構（＝第２のロック機構）が解除される。
従来技術では、台車のレールが入浴用受け台のレールに接続されている時にのみ椅子部が移動できる。
【０００３】
しかし、従来の技術では、台車を入浴用受け台へ係合する連結機構と、ロック機構とが別機構であるから、入浴用車椅子が入浴用受け台に対して係合不完全であっても（係合部材が半掛かりであっても）、ロック機構は解除される。その時、第１のロック機構を不用意に解除した場合には、椅子部が台車から転落し入浴者が怪我をする危険がある。
又、ロック機構が入浴用受け台とは異なるものに当ってロックが解除されることもあり得、危険である。そのため更にロック機構（＝第１のロック機構）が必要となり、入浴用車椅子のロック機構に係る構成が複雑になっている。
【０００４】
その他、従来の技術に係る入浴用車椅子には、レバーを保護し安全を維持する構成や、入浴時の安全を確保するために肘掛の設定をチェックするという構成は開示されていない。
【特許文献１】特開２００４−１５４２４１号公報
【発明の開示】
【発明が解決しようとする課題】
【０００５】
解決しようとする問題点は、座部を入浴用車椅子から入浴リフトへ移乗する際に、座部が台車から転落し入浴者が怪我をする危険性があるという点である。
又、ロック機構が２個必要になり、入浴用車椅子のロック機構に係る構成が複雑になり製作費用が嵩むという点である。
又、座部の操作に係る安全対策を十分に行なおうとしたものである。
【課題を解決するための手段】
【０００６】
本発明の目的は、上記問題点を解決したものであり、座部を台車から入浴リフトへ安全に移乗でき、更に、簡素な構成であってしかも座部の操作が安全に行なえる入浴装置を提供することである。
即ち本発明は、入浴リフト１３と、入浴用車椅子３とからなる入浴装置７９において、入浴用車椅子３は、台車１と、台車１から分離可能に載設される座部２と、座部２を台車１に対し移動不可能に掛止する掛止機構１７とからなり、掛止機構１７は、座部２に設けられ操作具を介して手動で移動可能な掛止具１８と、掛止具１８の位置に対応して台車１に設けられる掛止受部１９と、掛止具１８と掛止受部１９の両者による掛止作用を解除する方向への掛止具１８の移動操作を阻止する阻止具２０とで構成され、入浴用車椅子３が入浴リフト１３に接合している時は、阻止具２０を入浴リフト１３との接合に連動して動かすことで掛止作用を解除する方向への掛止具１８の移動操作を可能にする一方、入浴用車椅子３が入浴リフト１３に接合していない時は、阻止具２０によって掛止作用を解除する方向への掛止具１８の移動操作を阻止することを特徴とする入浴装置である。
又、台車１は、台車枠１２の前部に突出状に設けられる接合鉤具１５と、車椅子側検出器３８とを有し、入浴リフト１３には、受穴１４と、接合鉤具１５に当って動くリフト側検出器６３の受動片６０とが設けられ、台車１を入浴リフト１３に接合させる時に、接合鉤具１５を受穴１４に貫通させると、接合鉤具１５の貫通した部位がリフト側検出器６３に当ってこれを動かし、リフト側検出器６３が車椅子側検出器３８を介して阻止具２０を動かすことで、掛止作用を解除する方向へ掛止具１８を移動操作できるようにしたことを特徴とする。
更に、掛止具１８は下方向に付勢され昇降可能であって、掛止受部１９に嵌入できるものであり、掛止具１８の途中部分に凹部６７が形成され、阻止具２０は前記凹部６７に進入するように付勢され水平移動可能であって、入浴用車椅子３が入浴リフト１３に接合していない時は、阻止具２０は、掛止具１８の凹部６７に進入し、掛止受部１９に嵌っている掛止具１８の移動を阻止し、掛止機構１７は、台車１に対する座部２の前後方向及び上方向への移動を阻止し、座部２が台車１から脱落しないようにする。
更に、台車１は、車輪１１と台車枠１２とからなり、台車枠１２の前部の左右には、半円形に前方へ突出する保護枠１６が設けられ、保護枠１６は、外側面が丸味を帯びた形状であり、接合鉤具１５の上前方及び上左右方にわたって位置しており、保護枠１６は、接合鉤具１５の損壊を防ぐものであると共に、車輪１１の上方に位置しており、又、入浴リフト１３の後部の左右には、案内具２１が設けられ、台車１を入浴リフト１３へ接合する時、保護枠１６は入浴リフト１３の案内具２１に沿って摺動するものである。
又、入浴リフト１３には、その上面にあって前後方向にレール４１が設けられ、レール４１の左右外側に上カバー６１が設けられ、座部２は、座面部７と、座面部７の後部に設けられる背凭８とからなり、背凭８の左右に肘掛９が設けられ、該肘掛９は、入浴用車椅子３の前方向きから斜め後方向きへ回動させて掛止できるものであり、又、座部２は、台車１からレール４１へ移乗でき、移乗した座部２は、入浴リフト１３の後部から前部の入浴位置へ移動できるものであり、前記座部２は、肘掛９を斜め後方向きに掛止したままでは、肘掛９が上カバー６１にぶつかって入浴位置へ移動できず、入浴を遂行出来ないようにした。
【発明の効果】
【０００７】
本発明に係る入浴用車椅子３が入浴リフト１３に接合している時は、阻止具２０は、入浴リフト１３に当接して動かされ、掛止具１８の移動阻止を解除し、掛止機構１７は手動で解除可能となり、入浴用車椅子３が入浴リフト１３に接合していない時は、阻止具２０は掛止具１８の移動を阻止し、掛止機構１７は手動で解除不可能となり、座部２は台車１に掛止されるから、座部２を入浴リフト１３へ移乗する際、台車１が入浴リフト１３に接合していない時には、介助者が誤って掛止具１８を手動操作しても掛止具１８は抜けず、掛止機構１７が解除されず、座部２が台車１から転落することは無く、安全であり、好都合である。
【０００８】
又、入浴者が、一般車椅子から入浴用車椅子３に乗せ換える時、又、入浴用車椅子３に乗降する時等に、掛止具１８が抜けず台車１から座部２が移動しないから、入浴者は乗せ換え中又は乗降中に乗りそこね事故を起こさず安全であり、好都合である。
【０００９】
又、台車１が入浴リフト１３に接合している時には、掛止機構１７が手動で解除でき、座部２が台車１から外れ、円滑に入浴リフト１３に移乗でき、好都合である。
【００１０】
又、１個の掛止機構１７で座部２を台車１に安全に掛止でき、構成が簡素であり、製作経費を低減でき、好都合である。
【００１１】
本発明に係る台車１を入浴リフト１３に接合させる時に、接合鉤具１５を受穴１４に貫通させると、接合鉤具１５の貫通した部位がリフト側検出器６３に当ってこれを動かし、リフト側検出器６３が車椅子側検出器３８を介して阻止具２０を動かし、阻止具２０は掛止具１８の移動阻止を解除し、掛止機構１７は手動で解除可能となるから、接合鉤具１５が接合不完全の状態（＝接合鉤具１５が受穴１４に半掛かりの状態等）では、掛止機構１７は解除できず、座部２が台車１から移動しない。それ故に、上記接合が不完全の状態の時は、座部２を入浴リフト１３へ移乗させることはできず、座部２を誤って台車１から転落させるといったことは起きず、安全であり、好都合である。
接合鉤具１５が完全に接合した時には、掛止機構１７を解除することができ、座部２を入浴リフト１３へ安全に移乗させることができ、好都合である。
【００１２】
本発明に係る入浴用車椅子３が入浴リフト１３に接合していない時は、阻止具２０は、掛止具１８の凹部６７に進入し、掛止受部１９に嵌っている掛止具１８の移動を阻止し、掛止機構１７は、台車１に対する座部２の前後方向及び上方向への移動を阻止するから、座部２が台車１から脱落せず、安全であり、好都合である。
【００１３】
本発明に係る保護枠１６は、接合鉤具１５の損壊を防ぐものであると共に、車輪１１の上方に位置しており、又、入浴リフト１３の後部の左右には、案内具２１が設けられ、台車１を入浴リフト１３へ接合する時、保護枠１６は入浴リフト１３の案内具２１に沿って摺動するものであるから、前記保護枠１６の存在によって、人や物が接合鉤具１５にぶつからず、接合鉤具１５を変形させるということは起きず、接合鉤具１５の接合を行なう構成、作用を確保でき、入浴用車椅子３と入浴リフト１３の接合を確実に行なえ、信頼性も高くなり、好都合である。
【００１４】
入浴者が入浴用車椅子３に乗降する時、入浴者及び介助者が、丸味を帯びた前記保護枠１６に当っても、車輪１１又は車輪ストッパー７７にぶつかることはなく、安全であり、好都合である。
【００１５】
又、前記三個機能を得るために保護枠１６を設けるだけでよく、位置決め機能に係る構成と、ガード機能に係る構成とを省略でき、製作コストの削減が図れ、好都合である。
【００１６】
本発明に係る座部２は、台車１からレール４１へ移乗でき、移乗した座部２は、入浴リフト１３の後部から前部の入浴位置へ移動できるものであり、前記座部２は、肘掛９を斜め後方向きに掛止したままでは、肘掛９が上カバー６１にぶつかって入浴位置へ移動できず、入浴を遂行出来ないから、肘掛９を斜め後方向へ回動したままで入浴者を浴槽48内へ下降させることは無く、肘掛９を斜め後方向へ回動したままで入浴者を湯に浸けることも無く、それらの下降行程、湯浸け行程中に入浴者が座部２からはみ出ることは無く、又、座部２から転落することもなく、安全に安心して入浴でき、好都合である。
【発明を実施するための最良の形態】
【００１７】
本発明に係る座部を台車から入浴リフトへ安全に移乗でき、又、座部及び入浴用車椅子の操作が安全に行なえる入浴装置を提供する目的を、入浴リフト１３と、入浴用車椅子３とからなる入浴装置７９において、入浴用車椅子３は、台車１と、台車１から分離可能に載設される座部２と、座部２を台車１に移動できないように掛止する掛止機構１７とからなり、掛止機構１７は、座部２に設けられ手動で上動される掛止具１８と、台車１に設けられる掛止受部１９及び阻止具２０とからなり、阻止具２０は掛止受部１９に嵌入した掛止具１８の移動を阻止するものであり、入浴用車椅子３が入浴リフト１３に接合している時は、阻止具２０は、入浴リフト１３に当接して動かされ、掛止具１８の移動阻止を解除し、掛止機構１７は手動で解除可能となり、入浴用車椅子３が入浴リフト１３に接合していない時は、阻止具２０は掛止具１８の移動を阻止し、掛止機構１７は手動で解除不可能となり、座部２は台車１に掛止されることを特徴とする入浴装置をもって、実現した。
【実施例１】
【００１８】
図１、２、３、４、５、６、７、８、９に本発明の実施例１の入浴装置７９を示している。
入浴装置７９は、入浴リフト１３と、入浴用車椅子３とからなる。
【００１９】
入浴リフト１３は、座部２に乗った入浴者を、座部２と共に浴槽４８へ浸け入浴させるものである。
前記入浴リフト１３の両側には上カバー６１（左上カバー６１ａ、右上カバー６１ｂ）が所定間隔をもって突設される。
入浴リフト１３は浴槽４８の縁に設置されており、入浴リフト１３の後部には入浴用車椅子３が接合され、入浴リフト１３の前方は浴槽４８に接する。（図４参照）
入浴用車椅子３の座部２は、入浴リフト１３に移乗した後、入浴リフト１３の前部の入浴位置へ移動可能である。
【００２０】
入浴リフト１３の後部の左右側には案内具２１が設けられる。入浴リフト１３の後部には受穴１４が開けられる。入浴リフト１３に入浴用車椅子３を接合すると、受穴１４に接合鉤具１５の先部が嵌入する。前記接合鉤具１５の嵌入により、入浴リフト１３に入浴用車椅子３が接合され離間しないように掛止される。
【００２１】
リフト側検出器６３は、受動片６０とアウター付ワイヤー６２と押し片７６とで構成される。押し片７６は入浴リフト１３のレール４１（図９参照）内に設けられる。
前記押し片７６は、入浴リフト１３の受穴１４の下方に設けられた受動片６０にアウター付ワイヤー６２で連繋されている。
入浴リフト１３に入浴用車椅子３が接合されていない時は、入浴リフト１３の受動片６０は元の通常位置（＝上位置）にあり、押し片７６は元の通常位置（＝退入位置）にある（図９参照）。
【００２２】
入浴用車椅子３は、台車１と、台車１から分離可能に載設される座部２と、座部２を台車１に掛止する掛止機構１７とからなる。
【００２３】
座部２は、座面部７と、下肢受４と、背凭８と、リクライニング機構３０と、掛止機構１７とからなる。
【００２４】
背凭８は、座面部７の後部にこれと一体的に略起立状態に設けられる。
背凭８には、肘掛９と、上体用フェンス１０とが取着される。
【００２５】
肘掛９は、肘置４３と、大腿フェンス４４と、肘軸４５からなる。
肘置４３と大腿フェンス４４は一体化しており、肘置４３及び大腿フェンス４４は、肘軸４５を中心に回動できる。前方向きにある肘掛９を回動させて斜め後方向きに変更でき、又、斜め後方向きにある肘掛９を前方向きに戻し変更できる。
【００２６】
肘軸４５は、肘円筒部５４と肘中軸５５とからなる。肘円筒部５４の所定位置に窓５６が形成される。肘中軸５５には窓５６の肘溝に嵌合できる肘突起５８が設けられる。肘掛９が前方向きに至った時は肘突起５８が窓５６の前肘溝（図示省略）に嵌り固定される。
肘掛９を後方向きに変更する時は、肘掛９を少し持ち上げ肘突起５８を前肘溝から外してから、回動させる。肘掛９が後方向きに至った時は肘突起５８が窓５６の後肘溝５７に嵌り固定される。
【００２７】
上体用フェンス１０は、フェンス部４６とフェンス軸部４７とからなる。フェンス部４６は、棒部材で作られ、握り易い形状である。
入浴者は、座部２への乗降時、搬送時、身体の洗浄時、浴槽４８への昇降時、及び浴槽４８内の入浴時に、フェンス部４６を掴んで、乗降時の動作、搬送時の動作、洗浄時の動作、移乗時の動作、昇降時の動作及び入浴時の動作を楽に行なえる。
上体用フェンス１０はフェンス軸部４７を中心に回動できこれを回動させて前方向きにあるものを後方向きに変更でき、又、後方向きにあるものを前方向きに戻し変更できる。
【００２８】
入浴用車椅子３の左右の肘掛９を斜め後方向きに開いた時、左の肘掛９の先部から右の肘掛９の先部までの幅が、入浴リフト１３の左右の上カバー６１の所定間隔より大きくなる。
【００２９】
前述の左右の肘掛９を前方向きに閉じて座部２を入浴リフト１３の前部へ移動させるとき、肘掛９が上カバー６１に当らず、円滑に移動する。
【００３０】
前述の左右の肘掛９を斜め後方向きに開いたまま座部２を入浴リフト１３の前部へ移動させると、肘掛９が上カバー６１にぶつかる。
一方側の肘掛９を斜め後方向きに開いたまま座部２を入浴リフト１３の前部へ移動させた場合でも、肘掛９が上カバー６１にぶつかる。
肘掛９が上カバー６１にぶつかると、座部２は入浴リフト１３の入浴位置へ移動できない。座部２は肘掛９のセッティングが不適切な状態では浴槽４８に入れないようにしている。
【００３１】
台車１は、車輪１１と台車枠１２とからなり、浴室で用いる場合主に脱衣場から入浴リフト１３までの間を往復走行するものである。
台車枠１２の前部に、入浴リフト１３の受穴１４に掛止できる接合鉤具１５が設けられる。
【００３２】
台車枠１２の前部に、接合鉤具１５の前上方及び左右上方を囲う保護枠１６が設けられる。保護枠１６は、具体例では半円形の枠体である。保護枠１６は、人又は物と接合鉤具１５との衝突を回避し、接合鉤具１５の変形破損を回避し、入浴用車椅子３と入浴リフト１３の接合ミスを回避し、安全を図る保護機能を有する。
【００３３】
更に、人又は物と、車輪１１又は車輪ストッパー７７との衝突を回避し、安全を図るガード機能を有する。（図６参照）
【００３４】
入浴リフト１３に入浴用車椅子３を接合する時、前記保護枠１６が入浴リフト１３の案内具２１に当接し、入浴用車椅子３は所定位置へ案内される。
保護枠１６は、入浴リフト１３に対する入浴用車椅子３の当接位置を所定位置に決める位置決め機能を有する。（図４参照）
【００３５】
入浴用車椅子３には、座部２を台車１に掛止する掛止機構１７が１個設けられる。
掛止機構１７は、座部２に設けられる掛止具１８（具体例ではピン８０）、及び、掛止具１８を引き上げるピン操作具６８と、台車１に設けられる掛止受部１９（具体例では穴８１）、及び、掛止具１８が掛止受部１９から抜けるのを阻止する阻止具２０（具体例では当接片４０）とからなる。
【００３６】
座部２の掛止具１８の具体例であるピン８０は、台車１の掛止受部１９の具体例である穴８１に嵌入し、座部２を台車１に掛止し維持する。ピン８０の部材途中に凹部６７形成される。
【００３７】
台車１には、台車１が入浴リフト１３に接合すると作動する車椅子側検出器３８と、車椅子側検出器３８の作動量を伝達する伝達器３９と、伝達器３９に連結される阻止具２０の具体例である当接片４０と、当接片４０を前方向へ付勢するバネ５３とが設けられる。
台車１側の当接片４０は、座部２側の凹部６７に嵌って、ピン８０を押圧し移動不自在に拘束し、ピン８０が穴８１から抜けるのを阻止する。
従って、掛止機構１７は、座部２を台車１に対して、前後方向及び上方向に移動不可能に掛止するものである。（図７参照）
【００３８】
台車１の車椅子側検出器３８は、台車レール６６内に設けられ、その前部は台車レール６６の前端に臨む。
台車レール６６内に伝達器３９が設けられ、該伝達器３９は車椅子側検出器３８に繋がりその動きを当接片４０に伝達するものである。
【００３９】
台車１が入浴リフト１３に接合した時、台車１の接合鉤具１５が、入浴リフト１３の受穴１４に嵌る。嵌った後、接合鉤具１５がリフト側検出器６３の受動片６０を押し下げる。
下がった受動片６０は、アウター付ワイヤー６２を介して、押し片７６を後方向へ突出移動させる。後方向へ突出移動した押し片７６は、台車１の車椅子側検出器３８を後方向へ押す（図９参照）。
【００４０】
台車１の車椅子側検出器３８は、入浴リフト１３のレール４１内に設けられた押し片７６に押される。
車椅子側検出器３８が押し片７６に押された時、車椅子側検出器３８に繋がる伝達器３９と当接片４０は、共に後方向に移動し、当接片４０はピン８０から離れピン８０を押えない。
ピン８０は、当接片４０による移動阻止を解除され、介助者はピン８０を穴８１からの抜き差しが可能となる。
上述の接合の構成では、接合鉤具１５が受穴１４に嵌った後に該接合鉤具１５によって、ピン８０が移動阻止を解除されるものである。（図７参照）
前記ピン８０は、伸展バネ５９で下方向に付勢され、必要時に手動で上方向へ動かされるものであって、その他にピン８０を動かす機構は存在しない。
【００４１】
介助者が、前記ピン８０を抜けば、座部２を移動自在状態となり、その座部２を入浴リフト１３側へ移動させることができる。
【００４２】
台車１を入浴リフト１３に接合していない時は、座部２のピン８０が台車１の穴８１から抜けない状況にある。
即ち、入浴リフト１３の受動片６０は元の通常位置（＝上位置）にある。
押し片７６は元の通常位置（＝退入位置）にある。
【００４３】
台車１の車椅子側検出器３８は元の通常位置（＝前方向に突出した位置）にある。当接片４０は、バネ５３の付勢力で前方向へ移動している。
当接片４０は、座部２のピン８０の凹部６７に嵌ってピン８０を押圧し、ピン８０が穴８１から抜けるのを阻止する。
【００４４】
ピン８０はこれに当接片４０が嵌入しているため上昇が不自在となっている。介助者は、移動阻止状態にあるピン８０を上方向へ抜くことができない。上述のように掛止機構１７が掛止作用を現わしているため台車１に対して座部２を前後方向及び上方向に移動させることができない。（図３、７参照）
【００４５】
座部２を構成する座面部７は、入浴者の臀部を支持する座面緩衝材２５と、座面緩衝材２５を支持する座部枠２６と、台車１に移動可能に載設されるローラー枠２７と、座部枠２６をローラー枠２７に後傾動可能に軸支するリクライニング用軸２９とからなる。
ローラー枠２７にはローラー２８が取着され、該ローラー枠２７は台車１上を自在に移動できる。
【００４６】
下肢受４は、脹脛、足先等の下肢を支持するものであり、左下肢受４ａと右下肢受４ｂで構成される。
尚、構成部品の名称は入浴用車椅子３に乗る入浴者の左右部位に合わせて付けている。
入浴用車椅子３の前方向きの左下肢受４ａ及び右下肢受４ｂは、それぞれ入浴用車椅子３の外側に回動して、後方向きに変更できる。
又、入浴用車椅子３の後方向きの左下肢受４ａ及び右下肢受４ｂはそれぞれ入浴用車椅子３の外側に回動して、前方向きに変更できる。
【００４７】
下肢受４は、基部が下肢受台２２に軸支され直線状に延びる幹体２４と、幹体２４の先部位に設けられる足置５と、幹体２４の延設中途部に設けられる脹脛受６とからなる。
【００４８】
左右の下肢受台２２は、座部枠２６の前部左右に垂下取着された各垂下軸４２にそれぞれ軸支される。垂下軸４２の一部は、コ字形枠７８で囲われる。
下肢受４は、座部枠２６の前部の左右部に下肢受台２２（左下肢受台２２ａ及び右下肢受台２２ｂ）を介してそれぞれ設けられる。
下肢受４は、下肢受台２２を介して後方向へ回動するものであり１８０度方向転換できる。
【００４９】
通常形態時の入浴用車椅子３にあって、左下肢受台２２ａ及び右下肢受台２２ｂは互いに向き合わせ（＝内向き）状態に設けられる。
入浴用車椅子３を乗降形態に変える時は、左下肢受台２２ａ及び右下肢受台２２ｂを、入浴用車椅子３の外側に１８０度回動して左右外向き状態に変更する。
又、入浴用車椅子３の外方向き状態の左下肢受台２２ａ及び右下肢受台２２ｂは、入浴リフト１３に移乗する時（＝入浴時、通常形態時）には、それぞれ入浴用車椅子３の外側に回動して、内向きの突合せ状態に戻し変更できる。
【００５０】
下肢受４は、幹体２４と、脹脛受６と、足置５とからなる。下肢受台２２に対して幹体２４は回動可能であり、該幹体２４を回動させて足置５及び脹脛受６を水平状態から垂下状態に変更できる。又、逆に、垂下状態から水平状態にも変更できる。
【００５１】
下肢受４が入浴用車椅子３の前方へ向いて略水平状態に固定された通常形態のもとで、脹脛受６はその上面が足置５の上面より僅か高くして幹体２４に設けられる。入浴者が足裏を足置５に乗せた立膝座姿勢、又は入浴者が脹脛を脹脛受６に乗せた長座位姿勢を取ることができる。
【００５２】
左右の下肢受４の各脹脛受６の表面は、それぞれに緩衝部材２３で構成される。
下肢受４が入浴用車椅子３の通常形態にある時、そして入浴者を乗降させる時に、足置５及び脹脛受６を回動させて水平状態から垂下状態へ変更すると、左右の緩衝部材２３は互いに間隔をもって向き合う。
【００５３】
入浴用車椅子３は、リクライニング式分離型であり、リクライニング機構３０を操作して背凭８を通常の背凭れ姿勢（＝背起立姿勢）からリクライニング姿勢へ後傾させると、下肢受４及び座面部７も、同時にリクライニング軸２９を中心に回動する。座面部７は前部が高位で後部が低位に傾斜し、下肢受４は先部が高位で基部が低位に傾斜する。座部２は、通常の背起立姿勢からリクライニング姿勢へ、又、リクライニング姿勢から背起立姿勢へと往復移動できる。
【００５４】
リクライニング機構３０は、背凭８及び座面部７と、座部枠２６とに亘って設けられ、座部枠２６に対する背凭８、座面部７及び下肢受４の角度を一体的に、後傾角度に変更させるものである。リクライニング機構３０は、台車１側の止具３２と、背凭８側の溝付片３３と、操作具３４とからなる。
【００５５】
溝付片３３には、通路３５の両端に起立溝３６と、リクライニング溝３７とが形成される。止具３２が起立溝３６に嵌っているときは背凭８は略起立状態にあり、止具３２がリクライニング溝３７に嵌っているときは背凭８は後傾状態（リクライニング姿勢）にある。入浴者の要望に応じて、背凭８を後傾し座部２をリクライニング姿勢になす。
【００５６】
座部２には、座部２を後傾させるリクライニング機構３０と、入浴用車椅子３の前方向きに略水平状に延設せられ入浴者の脹脛を支持する下肢受４とが設けられ、入浴者は、脹脛を支持された長座位姿勢を取り更に後傾状の背凭姿勢を取ってリラックスした態勢で入浴できる。
【００５７】
図１中、６４は腹締具、６５は大腿ベルト、６９は枕、７０は枕スライド長穴、７１は取手、７２は背凭取手、７３は収縮バネ、７４は連結棒、７５は昇降板、５２は昇降レール、５１は吊りベルト、５０は昇降体、４９はレール柱である。
【００５８】
実施例１を使用する際は、先ず、該実施例１を乗降形態にセッティングする。セッティングしてから、入浴者を入浴用車椅子３に乗せる。
座部２が入浴形態にセッティングされていたら乗降形態のセッティングに変更する。
【００５９】
介助者は、下肢受４の足置５及び脹脛受６を水平状態から垂下状態に変える。下肢受４を回動させ、入浴用車椅子３の前方向きから後方向きに変える。
介助者は、肘掛９を回動させ、肘掛９の位置を入浴用車椅子３の前方向きから斜め後方向きへ変える。又、介助者は、上体用フェンス１０を回動させ、入浴用車椅子３の側部の位置から後部の位置へ変える。
【００６０】
上記セッティングを行なった後、介助者は入浴者を、入浴用車椅子３の座部２に乗せる。
【００６１】
保護枠１６は、人や物が接合鉤具１５に当るのを防ぎ、接合鉤具１５を保護する。即ち、保護枠１６は、保護機能を果たし、接合鉤具１５の破損を防ぐ。
【００６２】
又、保護枠１６は、人や物が車輪１１、又は車輪ストッパー７７、又は接合鉤具１５等にぶつかるのを防ぐ。即ち、保護枠１６は、ガード機能を果たし、人が構成部品に当って怪我することのないようにし安全を図り、入浴用車椅子３の前進を確保する。（図６参照）
【００６３】
入浴者が座部２に乗り終わると、次に、座部２のセッティングを入浴形態のセッティングに変更する。下肢受４の足置５及び脹脛受６は垂下状態にあって、該下肢受４は後方に向いている。その下肢受４を、回動させ前方向きに戻す。
【００６４】
介助者は、腰掛け姿勢の入浴者の下肢を持ち上げる。下肢受４の足置５及び脹脛受６を回動させ水平状態に位置させる。
【００６５】
入浴者は下肢を前方向へ投げ出し長座位姿勢を取る。腹締具６４を締めて、腹を背凭８に固定する。大腿ベルト６５を締めて、大腿を下肢受４に固定する。
【００６６】
斜め後方に向かせていた肘掛９を、回動させ前方向きに戻す。肘を肘掛９に乗せる。立膝座姿勢の場合、入浴者の大腿が座面部７から食み出すのを肘掛９で防ぐ。
入浴用車椅子３の後部へ位置させていた上体用フェンス１０を、回動させ前方向きに戻し、入浴用車椅子３の側部に位置させる。上体の左右側への食み出しを上体用フェンス１０で防ぐ。
【００６７】
操作具３４を引き、止具３２を溝付片３３の起立溝３６から外し、背凭８を後傾し、止具３２をリクライニング溝３７に嵌め、背凭８をリクライニング姿勢に変更する。入浴者は、長座位姿勢で且つ背を後傾状に凭れたリクライニング姿勢でリラックスできる態勢を取る。入浴者の身体的状況の応じて、長座位姿勢を立膝座姿勢に変えることは自在である。入浴用車椅子３を脱衣場から入浴リフト１３まで走行し、入浴者を搬送する。
【００６８】
入浴用車椅子３を入浴リフト１３に接合する。保護枠１６は、案内具２１に当って入浴用車椅子３を所定位置へ至らせ、位置決め機能を発現する。入浴用車椅子３が所定位置へ至ると接合鉤具１５が受穴１４に嵌り、接合が完了する。（図４参照）
【００６９】
入浴用車椅子３を入浴リフト１３に接合させると、接合鉤具１５は、受穴１４に貫通し、入浴用車椅子３を入浴リフト１３に接合させたうえで、リフト側検出器６３の受動片６０を押し下げる。
即ち、接合鉤具１５の受穴１４を貫通した部分が受動片６０を押し下げる。受動片６０は、アウター付ワイヤー６２を経由して押し片７６を、後方向へ進出移動させる。
入浴リフト１３のレール４１内の押し片７６が突出し、該押し片７６は、台車１の台車レール６６内の車椅子側検出器３８を後方向へ押す。
【００７０】
車椅子側検出器３８は押し片７６に押されバネ５３力に負けて後退する。後退する車椅子側検出器３８は、当接片４０を後方向へ動かす。入浴用車椅子３の後方向へ移動する当接片４０は、ピン８０から離れる。
【００７１】
当接片４０は、凹部６７から退出し、ピン８０の移動を阻止する機能が消失する。ピン８０の移動は自在となる。
当接片４０がピン８０から離れると、ピン８０の上昇動が自在となり、座部２と台車１との掛止は解除できる状態になる。即ち、入浴用車椅子３が入浴リフト１３に確実に接合すると、掛止機構１７が解除可能状態に変わる。
介助者は、ピン操作具６８を掴んで上方向へ引き上げ、手動でピン８０を穴８１から抜き、座部２を台車１から掛止解除する。次に、座部２を入浴リフト１３へ移乗する。
【００７２】
入浴用車椅子３が入浴リフト１３への接合が不確実であると、リフト側検出器６３が作動せず、更に、車椅子側検出器３８も作動せず、当接片４０が入浴用車椅子３の後方向へ移動しない。
【００７３】
当接片４０は、凹部６７に嵌入しており、ピン８０の移動を阻止している。ピン８０の移動は阻止され不自在である。ピン８０により座部２は台車１に掛止されたままである。
当接片４０の阻止作用は解除されず、従って掛止機構１７も解除されない。台車１上の座部２は、前方及び上方へ移動できない。座部２は台車１に対して、動かせず、ずれず、転落もしない。
【００７４】
介助者は、入浴用車椅子３を入浴リフト１３に確実に接合させ、掛止解除状態となった座部２を、入浴リフト１３側へ押し移乗させる。
座部２の肘掛９及び上体用フェンス１０が、前方向を向いている入浴形態にあるので、これらが入浴リフト１３の上カバー６１にぶつからずに座部２は前進でき、入浴リフト１３の前部の入浴位置へ至る。
【００７５】
一方の肘掛９を斜め後方向きに開いたまま座部２を入浴リフト１３の前部へ移動させると、肘掛９が上カバー６１にぶつかって、入浴リフト１３の入浴位置へ移動できない。左右両方の肘掛９を斜め後方向きに開いたまま座部２を入浴リフト１３の前部へ移動させても、肘掛９が上カバー６１にぶつかって、入浴リフト１３の入浴位置へ移動できない。
【００７６】
座部２を入浴リフト１３の入浴位置へ移動した後、入浴リフト１３を適宜操作し、入浴形態にした座部２と共に、入浴者を浴槽４８に入れ、湯に浸け、入浴する。
暫時後、入浴リフト１３を適宜操作して脱浴する。入浴者が乗った座部２を入浴リフト１３から台車１へ移乗する。
【００７７】
上述の移乗後、座部２を台車１の所定位置へ戻す。座部２が台車１の所定位置に戻るとピン８０は伸展バネ５９により自動的に穴８１へ嵌まる。掛止機構１７は座部２を台車１へ掛止する。
リクライニング機構３０の操作具３４を操作し、背凭８を起立状態に戻す。
【００７８】
解除ペダル３１を踏んで接合鉤具１５の先部を受穴１４から抜き、入浴用車椅子３と入浴リフト１３の接合掛止を解除する。介助者は、入浴用車椅子３を後退させ入浴リフト１３から離す。
【００７９】
上記解除を行なうと、接合鉤具１５がリフト側検出器６３の受動片６０から離れ、受動片６０が元に戻る。押し片７６が戻り、車椅子側検出器３８はバネ５３力で戻り、当接片４０がピン８０に押圧する。当接片４０がピン８０に押圧すると、ピン８０の上昇動が不自在となり、座部２と台車１との掛止は解除できない状態になる。掛止機構１７は、座部２を台車１に掛止しその掛止を維持する。
【００８０】
介助者は、入浴リフト１３を脱衣場へ搬送する。搬送後、入浴用車椅子３を乗降形態に変更する。介助者は入浴者の下肢を持ち上げその間に下肢受４の足置５及び脹脛受６を垂下状態に変える。下肢受４を僅か持ち上げ掛止を解除しながら回動し後方向きに変更する。肘掛９を僅か持ち上げ掛止を解除しながら回動し斜め後方向きに変更する。上体用フェンス１０を僅か持ち上げ掛止を解除しながら回動させ、入浴用車椅子３の後部位置へ変える。
【００８１】
上記足置５及び脹脛受６、下肢受４、肘掛９、上体用フェンス１０は、左右のものに付いて変更に係る操作を行なう。入浴者を一般の車椅子へ乗せ換えし、入浴を終わる。
【産業上の利用可能性】
【００８２】
入浴リフト１３と、入浴用車椅子３とからなる入浴装置７９において、入浴用車椅子３は、台車１と、台車１から分離可能に載設される座部２と、座部２を台車１に移動できないように掛止する掛止機構１７とからなり、掛止機構１７は、座部２に設けられ手動で上動される掛止具１８と、台車１に設けられる掛止受部１９及び阻止具２０とからなり、阻止具２０は掛止受部１９に嵌入した掛止具１８の移動を阻止するものであり、入浴用車椅子３が入浴リフト１３に接合している時は、阻止具２０は、入浴リフト１３に当接して動かされ、掛止具１８の移動阻止を解除し、掛止機構１７は手動で解除可能となり、入浴用車椅子３が入浴リフト１３に接合していない時は、阻止具２０は掛止具１８の移動を阻止し、掛止機構１７は手動で解除不可能となり、座部２は台車１に掛止されることを特徴とする入浴装置に適用できる。
【図面の簡単な説明】
【００８３】
【図１】本発明の実施例１の入浴用車椅子を示す斜視図である。
【図２】本発明の実施例１の入浴用車椅子を示す正面図である。
【図３】本発明の実施例１の台車を示す斜視図である。
【図４】本発明の実施例１を示す平面図である。
【図５】本発明の実施例１の入浴リフトを示す左側面図である。
【図６】本発明の実施例１の乗降状態の入浴用車椅子を示す斜視図である。
【図７】本発明の実施例１の掛止機構を示す部分図である。
【図８】本発明の実施例１の肘掛を示す部分図である。
【図９】本発明の実施例１の接合鉤具と受穴を示す部分図である。
【符号の説明】
【００８４】
１  台車
２  座部
３  入浴用車椅子
７  座面部
８  背凭
９  肘掛
１１  車輪
１２  台車枠
１３  入浴リフト
１４  受穴
１５  接合鉤具
１６  保護枠
１７  掛止機構
１８  掛止具
１９  掛止受部
２０  阻止具
２１  案内具
３８  車椅子側検出器
４０  当接片
４１  レール
６０  受動片
６１  上カバー
６３  リフト側検出器
６７  凹部
７９  入浴装置
８０  ピン
８１  穴
【図１】
0005086061.tif 000002
【図２】
0005086061.tif 000003
【図３】
0005086061.tif 000004
【図４】
0005086061.tif 000005
【図５】
0005086061.tif 000006
【図６】
0005086061.tif 000007
【図７】
0005086061.tif 000008
【図８】
0005086061.tif 000009
【図９】
0005086061.tif 000010